(57)【特許請求の範囲】
【請求項１】
間隔を空けて設置された一組の間柱の間に開口枠が設けられてなる間仕切壁を構築する間仕切壁構築方法であって、
前記一組の間柱のうち一方の間柱を設置する第１設置工程と、
前記開口枠として、前記間柱に取り付けた状態で該間柱の長さ方向に沿ってスライド可能となるスライド部材が、前記間柱の長さ方向に沿って配置される辺を構成する縦部材に設けられた開口枠を使用し、該開口枠を、前記縦部材に設けられたスライド部材によって前記一方の間柱に取り付ける枠取付工程と、
前記一組の間柱のうち他方の間柱を、前記一方の間柱との間で前記開口枠を挟む位置に設置する第２設置工程と、
前記間柱に取り付けられた前記開口枠を、前記縦部材に設けられた前記スライド部材と共にスライドさせることにより、前記間柱の長さ方向に沿った位置を調整した後、前記間柱に固定する枠固定工程と、を経て間仕切壁を構築する
ことを特徴とする間仕切壁構築方法。
【請求項２】
前記枠取付工程では、前記開口枠として、対向する二つの前記縦部材それぞれに前記スライド部材が設けられた開口枠を使用し、該開口枠を前記二つの縦部材のうち一方の縦部材に設けられた前記スライド部材により前記一方の間柱に取り付けて、
前記第２設置工程では、前記他方の間柱を、前記開口枠における前記二つの縦部材のうち他方の縦部材に設けられた前記スライド部材に取り付けた状態で設置する
ことを特徴とする請求項１に記載の間仕切壁構築方法。
【請求項３】
間隔を空けて配置された一組の間柱と、該間柱の間に設けられる開口枠と、により構築される間仕切壁であって、
前記開口枠は、前記間柱の長さ方向に沿って配置される辺を構成する縦部材に、前記間柱に取り付けた状態で該間柱の長さ方向に沿ってスライド可能となるスライド部材が設けられている
ことを特徴とする間仕切壁。
【請求項４】
前記スライド部材は、前記開口に対する出入方向に間隔を空けて配置される一組の板状体の間に前記間柱を挟み込むことによって、該間柱に取り付けられるように構成されている
ことを特徴とする請求項３に記載の間仕切壁。
【請求項５】
前記スライド部材は、前記一組の板状体と、該板状体それぞれを連結する連結部とからなり、該連結部および当該開口枠本体がネジ類または釘類により固定されており、
前記連結部におけるネジ類または釘類による固定部分は、該連結部における前記間柱との接触面に対して当該開口枠本体側へ窪んだ形状となっており、該接触面にネジ類または釘類が重ならない構造となっている
ことを特徴とする請求項４に記載の間仕切壁。
【請求項６】
前記間柱には、該間柱の長さ方向に沿って溝部が形成されており、
前記スライド部材は、前記一組の板状体と、該板状体それぞれを連結する連結部とからなり、該連結部および当該開口枠本体がネジ類または釘類により固定されており、
前記連結部におけるネジ類または釘類による固定部分は、当該開口枠を前記間柱に取り付けた際、前記開口の出入方向と平行な面における位置が、前記間柱に形成された溝部と重なる位置に配置され、かつ、ネジ類または釘類として頭部分が前記溝部に収まる大きさのものが使用されている
ことを特徴とする請求項４に記載の間仕切壁。
【請求項７】
天井側および床側それぞれに固定され、前記間柱の先端側および他端側を嵌め込んで設置するために使用されるランナーと同じ部材が、前記スライド部材として設けられている
ことを特徴とする請求項３から６のいずれかに記載の間仕切壁。
【請求項８】
床面に沿って配置される辺を構成する横部材から前記縦部材に至る外周部分に、該外周部分に合わせて曲げられた形状の前記ランナーが固定されており、該ランナーのうち前記縦部材に固定された領域が前記スライド部材として機能する
ことを特徴とする請求項７に記載の間仕切壁。
【請求項９】
開口が形成されてなる間仕切壁を構築するにあたり、間隔を空けて配置された一組の間柱の間に設けられる開口枠であって、
前記間柱の長さ方向に沿って配置される辺を構成する縦部材に、前記間柱に取り付けた状態で該間柱の長さ方向に沿ってスライド可能となるスライド部材が設けられており、
天井側および床側それぞれに固定され、間柱の先端側および他端側を嵌め込んで設置するために使用されるランナーと同じ部材が、前記スライド部材として設けられている
ことを特徴とする開口枠。
【請求項１０】
床面に沿って配置される辺を構成する横部材から前記縦部材に至る外周部分に、該外周部分に合わせて曲げられた形状の前記ランナーが固定されており、該ランナーのうち前記縦部材に固定された領域が前記スライド部材として機能する
ことを特徴とする請求項９に記載の開口枠。
【発明の詳細な説明】
【技術分野】
【０００１】
本発明は、間隔を空けて設置された一組の間柱の間に開口枠が設けられてなる間仕切壁を構築する間仕切壁構築方法、この方法において使用される開口枠、および、この方法により構築可能な間仕切壁に関する。
【背景技術】
【０００２】
従来から、室内を仕切るための間仕切壁として、窓や扉などを取り付けるための開口を有するものを構築することが行われている。
このような間仕切壁を構築するには、開口を取り囲む開口枠を構成するための部材を現場に持ち込み、開口の形状などに合わせて寸法や取付角度の調整をしながら開口枠を組み立てた後、この開口枠を、間隔を空けて設置した一組の間柱の間に取り付ける、といった施工方法が一般的である。
【０００３】
ただ、このような施工方法では、現場で全ての調整を行う必要があるため、現場作業に時間がかかるばかりか、一定の品質を得にくく、あらかじめ寸法の決められた扉や窓枠などを開口部分に取り付ける工程において、僅かな寸法や角度のズレが原因で扉や窓を設計通りの位置にピッタリと取り付けることができないことが多かった。
【０００４】
このような問題を解決するため、本願出願人は、あらかじめ定められた形状および寸法で構成された開口枠が設けられており、調節部により一端から他端までの長さを調節可能なユニット構造の開口ユニットを提案している（特許文献１参照）。
【０００５】
これにより、現場で開口枠を組み上げる必要がなくなるだけでなく、天井の高さに合わせて全体の長さを調節するだけで、定められた寸法の開口を設けることができるため、作業時間の大幅な短縮を実現しつつ一定品質の開口を設けることができる。
【特許文献１】特開２００２−０２１２２８号公報
【発明の開示】
【発明が解決しようとする課題】
【０００６】
しかし、上述の開口ユニットは、開口枠に間柱が取り付けられた構造であり、開口ユニット自体が大きくなってしまうため、搬送に大きな手間がかかり、また、一度に数多くの開口ユニットを搬送することが難しかった。
【０００７】
本願発明は、上記課題を解決するためになされたものであり、その目的は、作業時間を短縮しつつ一定品質の開口を設けることを、搬送に手間のかからない部材により実現するための技術を提供することである。
【課題を解決するための手段】
【０００８】
上記課題を解決するため請求項１に記載の間仕切壁構築方法は、間隔を空けて設置された一組の間柱の間に開口枠が設けられてなる間仕切壁を構築する間仕切壁構築方法であって、第１設置工程，枠取付工程，第２設置工程および枠固定工程を経て間仕切り壁が構築される。まず、第１設置工程は、一組の間柱のうち一方の間柱を設置する工程である。また、枠取付工程は、間柱に取り付けた状態でこの間柱の長さ方向に沿ってスライド可能となるスライド部材が、間柱の長さ方向に沿って配置される辺を構成する縦部材に設けられた開口枠を使用し、この開口枠を縦部材に設けられたスライド部材によって一方の間柱に取り付ける工程である。また、第２設置工程は、一組の間柱のうち他方の間柱を、一方の間柱との間で開口枠を挟む位置に設置する工程である。そして、枠固定工程は、間柱に取り付けられた開口枠を、縦部材に設けられたスライド部材と共にスライドさせることにより、間柱の長さ方向に沿った位置を調整した後、間柱に固定する工程である。
【０００９】
この間仕切壁構築方法によれば、完成品の開口枠を使用して間仕切壁を構築することができるため、作業時間を短縮しつつ一定品質の開口を設けることができるのは勿論のこと、開口枠と間柱とが別体の部材であるため、これらが一体に構成されたものに比べて搬送に手間がかかることはない。また、開口枠と間柱とが別体の部材であることから、これら部材を効率よく収納した状態で搬送できるため、一度に数多くの部材を搬送することができる。
【００１０】
また、間隔を空けて設置される一組の間柱は、一方の間柱に開口枠が取り付けられた後、他方の間柱が設置されるが、このとき、他方の間柱については、一方の間柱との間で開口枠を挟む位置に設置するため、間柱の間隔を間違いなく開口枠の横幅にピッタリと合うように構成できる。これにより、一組の間柱を設置した後、この間柱の間隔を調整し直す必要性は生じえない。
【００１１】
また、間柱に取り付けられる開口枠は、スライド部材により間柱の長さ方向に沿ってスライド可能となるように取り付けられるため、間柱の長さ方向に沿った位置つまり高さを容易に調節することができる。このように、開口枠の高さを調整するときには、開口枠を間柱に取り付けられた状態とすることができるため、開口枠が間柱に取り付けられていない状態のように不安定な状態で開口枠の位置を維持する必要がなく、開口枠の位置を変えながら高さ調整を行う作業を容易なものとすることができる。
【００１２】
また、本発明の間仕切壁構築方法であれば、開口枠を挟むようにして一組の間柱を設置することができるため、簡単な作業で間柱を設置するのと同時に開口枠を間柱に取り付けることができる。
【００１３】
近年、間仕切壁を構築するにあたり、間柱の設置，開口枠の取付，床面のレベル調整（レベリング）といった工程を経ていた従来の流れを、作業時間を短縮するために、間柱を設置した後でレベリングを行うようにする場合がある。ただ、レベリングは、作業者の手作業により行われるため、床面の高さを均一にすることが難しく、天井から床面に至る距離（高さ）が正規の寸法通りにならないことがある。このように床面の高さが正規の寸法通りになっていないと、建具（開口枠など）を削るなどして加工する無用な作業工程が発生してしまうため、作業時間が長くなってしまう。さらに、この建具を加工する作業は、作業現場にて手作業で行うことしかできないため、結果的に開口枠の取付精度を低下させる要因になってしまう。そのため、上述したように、簡単な作業で間柱を設置するのと同時に開口枠を間柱に取り付けられることは、開口枠が取り付けられる前にレベリングが行われて開口枠の取付精度を低下させることを防止するのに好適といえる。また、レベリングを行う際、作業者は、開口枠の床側を目安にしてレベル調整を行えるため、レベリング自体の精度が高くなることも期待できる。
【００１４】
さらにいえば、上述した間柱の設置，開口枠の取付，レベリングといった工程は、通常、それぞれに適した技術を有する作業者により行われているが、本発明の間仕切壁構築方法では、完成品の開口枠が用いられ、かつ、上述したように簡単な作業により取り付けられるため、開口枠を作業現場にて組み立てる場合のように高度な技術を有する作業者（例えば、大工）を必要としない。これは、例えば、間柱を設置するのに適した技術のみを有する作業者に、間柱を設置する作業と共に開口枠を取り付ける作業を行わせたとしても、建具を加工するなど無用な作業が発生することはなく、充分な取り付け精度で開口枠を取り付けることが可能だからである。
【００１５】
なお、上述した枠取付工程においては、少なくとも第１設置工程において設置される間柱にのみ、スライド部材によりスライド可能に取り付けられるように構成された開口枠を使用すればよい。また、第２設置工程において設置される間柱にも同様にスライド可能に取り付けられるように構成された開口枠を使用してもよく、この場合、請求項２に記載のような工程を経るようにすればよい。
【００１６】
請求項２に記載の間仕切壁構築方法において、枠取付工程では、開口枠として、対向する二つの縦部材それぞれにスライド部材が設けられた開口枠を使用し、この開口枠を二つの縦部材のうち一方の縦部材に設けられたスライド部材により一方の間柱に取り付ける。そして、第２設置工程では、他方の間柱を、開口枠における二つの縦部材のうち他方の縦部材に設けられたスライド部材に取り付けた状態で設置する。
【００１７】
この間仕切壁構築方法によれば、開口枠は、対向する二つの縦部材が間柱それぞれにスライド可能に取り付けられた状態で高さ調整を行うことができる。そのため、片方の縦部材のみが間柱にスライド可能に取り付けられた状態で高さ調整を行うよりも、より安定した状態で容易に高さ調整を行うことができる。
【００１８】
ところで、以上説明した間仕切壁構築方法において利用可能な間仕切壁としては、請求項３に記載のようなものを考えることができる。
請求項３に記載の間仕切壁は、間隔を空けて配置された一組の間柱と、この間柱の間に設けられる開口枠と、により構築される間仕切壁であって、開口枠が、間柱の長さ方向に沿って配置される辺を構成する縦部材に、間柱に取り付けた状態で間柱の長さ方向に沿ってスライド可能となるスライド部材が設けられている。
【００１９】
このように構成された間仕切壁によれば、請求項１に記載の間仕切壁構築方法により構築される間仕切壁の一部として有効に機能することができる。
特に、この間仕切壁の開口枠においては、少なくとも片方の縦部材にのみスライド部材が設けられていればよいが、両方の縦部材それぞれにスライド部材が設けられていれば、請求項２に記載の間仕切壁構築方法により構築される間仕切壁の一部としても有効に機能することができる。
【００２０】
なお、この構成におけるスライド部材は、間柱に取り付けた状態で間柱の長さ方向に沿ってスライド可能となる部材であって、スライド可能とするための構造は特に限定されない。例えば、間柱が長さ方向に沿って溝が形成された構造のものであれば、この溝に嵌め込まれた状態でスライド可能となる突起を有する部材をスライド部材とすることが考えられる。
【００２１】
また、間柱を挟み込むことによりスライド可能となる一組の板状体を有する部材をスライド部材とすることも考えられる。この構成において、一組の板状対は、少なくとも対向する二方向から間柱を挟み込むように配置されるものとすればよいが、請求項４に記載のように、開口に対する出入方向に間隔を空けて配置されるものとすればよい。
【００２２】
この後者の場合であれば、一組の板状体が開口に対する出入方向に間隔を空けて配置されているため、開口枠が間柱に取り付けられた状態であれば、間柱に固定していなくても、この開口枠が出入方向へズレてしまうことを防止できる。そのため、開口枠を間柱に取り付けてから高さ調整を行うにあたり、より安定した状態で容易に高さ調整を行うことができる。
【００２３】
また、上述のスライド部材は、開口枠本体に設けられた部材であるが、開口枠本体と一体に形成されてなる部材であってもよい。また、開口枠本体に別の部材として設けられたものであってもよく、この場合、例えば、一組の板状体と、これら板状体それぞれを連結する連結部とで構成し、この連結部が開口枠本体にネジ類または釘類にて固定されるものとすればよい。
【００２４】
このように、スライド部の連結部を開口枠本体とネジ類または釘類にて固定する場合、請求項５に記載のように、連結部におけるネジ類または釘類による固定部分を、この連結部における間柱との接触面に対して開口枠本体側へ窪んだ形状としておき、この接触面にネジ類または釘類が重ならない構造とすればよい。
【００２５】
このように構成すれば、開口枠本体とスライド部材との固定に使用したネジ類または釘類はスライド部材の窪みに収められて連結部と間柱との接触面に干渉しない。そのため、ネジ類または釘類が接触面に干渉して開口枠と間柱の間に隙間を発生させることにより、ガタツキや異音が発生するなどの原因となってしまうことを防止できる。
【００２６】
また、スライド部の連結部を開口枠本体とネジ類または釘類にて固定する場合、間柱に（間柱自身の）長さ方向に沿った溝部が形成されていれば、請求項６に記載のように、連結部におけるネジ類または釘類による固定部分を、開口枠本体を間柱に取り付けた際、開口の出入方向と平行な面に対する位置が、間柱に形成された溝部と重なる位置に配置しておき、かつ、ネジ類または釘類として頭部分として間柱の溝部に収められる大きさのものを使用してもよい。
【００２７】
このように構成すれば、開口枠本体とスライド部材との固定に使用したネジ類または釘類は間柱に形成された溝部に収められて連結部と間柱との接触面に干渉しない。そのため、ネジ類または釘類が接触面に干渉して開口枠と間柱の間に隙間を発生させることにより、ガタツキや異音が発生するなどの原因となってしまうことを防止できる。
【００２８】
また、間仕切壁を構築するにあたり、天井側および床側それぞれに固定され、間柱の先端側および他端側を嵌め込んで設置するためにランナーを使用する場合であれば、請求項７に記載のように、このランナーと同じ部材をスライド部材として設けるようにしてもよい。
【００２９】
このように構成すれば、スライド部材として、専用の部材を用意しなくても間柱を設置するために使用される部材を流用することができるため、間仕切壁を構築するために要するコストを削減することができる。
【００３０】
特に、ランナーは、間柱を嵌め込んで設置するために使用される部材であるため、特別な加工を施さなくても、間柱を嵌め込んだ状態でスライド可能となる構造を実現することができる。
【００３１】
また、通常、ランナーは、長さ方向に垂直な面を断面視した場合、一組の板状体それぞれにおける連結されていない側の端部が、連結されている側の端部より狭い間隔となっている。これにより、間柱に取り付けられた開口枠は、ランナーの板状体で対向する二方向から間柱を押圧して取付位置が保持される。そのため、例えば、開口枠の下端と床面との間に高さを微調整するための板材などを挟まなくても、開口枠に高さ方向に沿った力を一時的に加えるだけで容易に高さを調整することができる。また、上述したように、開口枠が出入方向へズレてしまうこともないため、高さの調整および出入方向の調整を行うために開口枠と間柱とを押圧器具（例えば、万力など）により複数箇所にわたって挟んで保持しておくといった作業が必要ない。
【００３２】
なお、この構成において、スライド部材として使用するランナーは、請求項８に記載のように、床面に沿って配置される辺を構成する横部材から縦部材に至る外周部分に、この外周部分に合わせて曲げられた形状のものを設け、このランナーのうち縦部材に固定された領域がスライド部材として機能するものとすればよい。
【００３３】
このように構成すれば、開口枠がランナーにより取り囲まれた構成となるため、開口枠がランナーで取り囲まれていない構成と比べ、開口枠自体の形状を崩れにくくすることができる。
【００３４】
よって、例えば、開口枠の運搬時や、間仕切壁の構築に拘わる作業中などにおいて、開口枠を変形させる方向に負荷が加わった場合でも、開口枠がランナーで取り囲まれていない構成と比べて、開口枠が変形して開口の形状や寸法などがズレてしまう、といったことが起こりにくい。
【００３５】
また、請求項９に記載の開口枠は、開口が形成されてなる間仕切壁を構築するにあたり、間隔を空けて配置された一組の間柱の間に設けられる開口枠であって、間柱の長さ方向に沿って配置される辺を構成する縦部材に、間柱に取り付けた状態で間柱の長さ方向に沿ってスライド可能となるスライド部材が設けられており、天井側および床側それぞれに固定され、間柱の先端側および他端側を嵌め込んで設置するために使用されるランナーと同じ部材が、スライド部材として設けられている。
また、請求項１０に記載の開口枠は、床面に沿って配置される辺を構成する横部材から縦部材に至る外周部分に、この外周部分に合わせて曲げられた形状のランナーが固定されており、このランナーのうち縦部材に固定された領域がスライド部材として機能する。
【発明を実施するための最良の形態】
【００３６】
次に本発明の実施の形態について例を挙げて説明する。
間仕切壁１は、図１に示すように、間隔を空けて配置された一組の間柱１０の間に、四角形の開口１００を取り囲む開口枠２０が設けられ、開口１００を除く領域に壁板１１０が取り付けられてなるものである。なお、本実施形態における開口１００は、床側まで開いた形状のものである。
【００３７】
間柱１０は、それぞれ金属製で断面が四角形の筒状部材であり、天井側に取り付けられたランナー１２０に一端側が嵌め込まれ、床側に取り付けられたランナー１３０に他端側が嵌め込まれて設置される。また、この間柱１０には、図２に示すように、開口１００に対する出入方向に沿った面それぞれに、間柱１０の長さ方向に沿った２本の溝部１２が形成されている。
【００３８】
開口枠２０は、開口１００を取り囲む木製の四方枠２２、四方枠２２の外周に沿って取り付けられたスライド部材３０などによって構成される。
これらのうち、スライド部材３０は、天井側または床側に取り付けられたランナーと同一の部材を、四方枠２２の沓摺（床面側に配置される横部材２２ｈ）を除く縦部材２２ｖおよび横部材２２ｈを取り囲むように曲げた形状の部材である。そして、図２に示すように、対向する一組の板状体３２が、開口１００に対する出入方向に間隔を空けた状態で配置され、一組の板状体３２の間に間柱１０を嵌め込むことによって、開口枠２０全体が間柱１０に取り付けられる。
【００３９】
また、このスライド部材３０は、図３（ａ）の上面図および図３（ｂ）の側面図にて示すように、板状体３２それぞれを連結する連結部３４を、スライド部材３０側からネジ３６を四方枠２２に向けてねじ込むことにより四方枠２２に固定されている。この固定部分におけるネジ３６は、開口枠２０を間柱１０に取り付けた状態において、開口１００の出入方向と平行な面１０２に対する位置が、間柱１０に形成された溝部１２と重なる位置でねじ込まれている。さらに、このネジ３６としては、その頭部分が溝部１２に収まる大きさのものが使用されており、開口枠２０を間柱１０に取り付けた状態でも間柱１０には接触しない。
【００４０】
以下に、上述した間仕切壁１を、あらかじめ天井側および床側それぞれにランナー１２０，１３０が取り付けられた室内に構築する方法について、図４に基づいて説明する。
（１）第１設置工程
まず、一組の間柱１０のうち一方の間柱１０を設置する（図４（ａ）参照）。ここでは、一方の間柱１０の端部を、それぞれランナー１２０，１３０に嵌め込んだ後、ランナー１２０，１３０側から間柱１０に到達するように釘を打ち込んで固定することにより一方の間柱１０を設置する。
（２）枠取付工程
次に、上述した開口枠２０を、スライド部材３０のうち一方の縦部材２２ｖに固定されている領域３０ｖに第１設置工程にて設置された間柱１０を嵌め込むことにより、この間柱１０に取り付ける（図４（ｂ）参照）。
（３）第２設置工程
次に、一組の間柱１０のうち他方の間柱１０を、第１設置工程にて設置された一方の間柱１０との間で開口枠２０を挟む位置に設置する（図４（ｃ）参照）。ここでは、まず、他方の間柱１０を、上述した第１設置工程と同様、端部をそれぞれランナー１２０，１３０に嵌め込んだ後、一方の間柱１０との間で開口枠２０を挟む位置まで移動させる。続いて、この他方の間柱１０を、枠取付工程にて一方の間柱１０に取り付けられた開口枠２０のスライド部材３０のうち、他方の縦部材２２ｖに固定されている領域３０ｖに嵌め込む。そして、この他方の間柱１０を、ランナー１２０，１３０側から間柱１０に到達するように釘を打ち込んで固定することにより設置する。
【００４１】
こうして、第２設置工程を終えた後、開口枠２０は、各スライド部材３０ｖがそれぞれ間柱１０に嵌め込まれただけであるため、間柱１０の長さ方向に沿ってスライド自在な状態となる。
（４）枠固定工程
次に、間柱１０に取り付けられた開口枠２０を、各スライド部材３０ｖにてスライドさせることにより、間柱１０の長さ方向に沿った位置つまり高さを調整した後、間柱１０に固定する（図４（ｄ）参照）。ここでは、開口枠２０の高さ調整を行った後、四方枠２２の内側から間柱１０まで到達するようにネジをねじ込むことにより、開口枠２０を間柱１０に固定する。なお、この固定部分におけるネジは、開口１００の出入方向に沿った面に対する位置が、間柱１０に形成された溝部１２と重ならない位置でねじ込まれる。
（５）壁板取付工程
そして、開口１００を除く領域に壁板１１０を取り付けることによって、間仕切壁１が構築される（図１参照）。
【００４２】
［効果］
上述したような間仕切壁構築方法によれば、完成品の開口枠２０を使用して間仕切壁１を構築することができるため、作業時間を短縮しつつ一定品質の開口を設けることができるのは勿論のこと、開口枠２０と間柱１０とが別体の部材であるため、これらが一体に構成されたものに比べて搬送に手間がかかることはない。また、開口枠２０と間柱１０とが別体の部材であることから、これら部材を効率よく収納した状態で搬送できるため、一度に数多くの部材を搬送することができる。
【００４３】
また、間隔を空けて設置される一組の間柱１０は、一方の間柱１０に開口枠２０が取り付けられた後、他方の間柱１０が設置されるが、このとき、他方の間柱１０については、一方の間柱１０との間で開口枠２０を挟む位置に設置するため、間柱１０の間隔を間違いなく開口枠２０の横幅にピッタリと合うように構成できる。これにより、一組の間柱１０を設置した後、この間柱１０の間隔を調整し直す必要性は生じえない。
【００４４】
また、間柱１０に取り付けられる開口枠２０は、スライド部材３０により間柱１０の長さ方向に沿ってスライド可能となるように取り付けられるため、間柱１０の長さ方向に沿った位置つまり高さを容易に調節することができる。このように、開口枠２０の高さを調整するときには、開口枠２０を間柱１０に取り付けられた状態とすることができるため、開口枠２０が間柱１０に取り付けられていない状態のように不安定な状態で開口枠２０の位置を維持する必要がなく、開口枠２０の位置を変えながら高さ調整を行う作業を容易なものとすることができる。
【００４５】
また、上述したように、開口枠２０を挟むようにして一組の間柱１０を設置することができるため、簡単な作業で間柱１０を設置するのと同時に開口枠２０を間柱１０に取り付けることができる。
【００４６】
また、上述した間仕切壁構築方法であれば、開口枠２０を挟むようにして一組の間柱１０を設置することになるため、間柱１０を設置する工程において同時に開口枠２０を間柱１０に取り付けられることになる。
【００４７】
また、開口枠２０は、第２設置工程の後、スライド部材３０のうち対向する二つの領域３０ｖが間柱１０それぞれにスライド可能に取り付けられた状態で高さ調整を行うことができるため、より安定した状態で容易に高さ調整を行うことができる。
【００４８】
また、スライド部材３０には、一組の板状体３２が開口１００に対する出入方向に間隔を空けて配置されているため、開口枠２０が間柱１０に取り付けられた状態であれば、間柱１０に固定していなくても、この開口枠２０が出入方向へズレてしまうことを防止できる。そのため、開口枠２０を間柱１０に取り付けてから高さ調整を行うにあたり、より安定した状態で容易に高さ調整を行うことができる。
【００４９】
また、開口枠２０を間柱１０に取り付けた際、四方枠２２とスライド部材３０との固定に使用したネジ３６は間柱１０に形成された溝部１２に収められてスライド部材３０の連結部３４と間柱１０との接触面１０２に干渉しない。そのため、ネジ３６が接触面に干渉して開口枠２０と間柱１０の間に隙間を発生させることにより、ガタツキや異音が発生するなどの原因となってしまうことを防止できる。
【００５０】
また、本実施形態において、スライド部材３０は、間柱１０の先端側および他端側を嵌め込んで設置するために使用されるランナーと同一の部材であるため、スライド部材として専用の部材を用意しなくても他の用途で使用される部材を流用することができるため、間仕切壁１を構築するために要するコストを削減することができる。
【００５１】
特に、ランナーは、間柱１０を嵌め込んで設置するために使用される部材であるため、特別な加工を施さなくても、間柱１０を嵌め込んでスライド可能となる構造を実現することができる。
【００５２】
また、通常、ランナーは、長さ方向に垂直な面を断面視した場合、一組の板状体３２それぞれにおける連結されていない側の端部が、連結部３４側の端部より狭い間隔となっている。これにより、間柱１０に取り付けられた開口枠２０は、ランナーの板状体３２で対向する二方向から間柱１０を押圧して取付位置が保持される。そのため、例えば、開口枠２０の下端と床面との間に高さを微調整するための板材などを挟まなくても、開口枠２０に高さ方向に沿った力を一時的に加えるだけで容易に高さを調整することができる。また、上述したように、開口枠２０が出入方向へズレてしまうこともないため、高さの調整および出入方向の調整を行うために開口枠２０と間柱１０とを押圧器具（例えば、万力など）により複数箇所にわたって挟んで保持しておくといった作業が必要ない。
【００５３】
また、スライド部材３０は、四方枠２２の沓摺を除く外周部分に合わせて曲げられた形状であるため、四方枠２２がランナーにより取り囲まれた構成となり、開口枠２０自体の形状を崩れにくくすることができる。よって、例えば、開口枠２０の運搬時や、間仕切壁１の構築に拘わる作業中などにおいて、四方枠２２を変形させる方向に負荷が加わった場合でも、四方枠２２がランナーで取り囲まれていない構成と比べて、四方枠２２が変形して開口１００の形状や寸法などがズレてしまう、といったことが起こりにくい。
【００５４】
さらに、四方枠２２の上辺にもランナーが位置しているため、開口枠２０と天井側に取り付けられたランナー１２０との間に上枠支持部材１６（図１参照）を取り付ける際、この上枠支持部材１６が出入方向へズレてしまうことを防止できる。
【００５５】
［変形例］
以上、本発明の実施形態について説明したが、本発明は上記の具体的な一実施形態に限定されず、このほかにも様々な形態で実施することができる。
【００５６】
例えば、上記実施形態においては、間柱１０が天井側および床側に固定されたランナー１２０，１３０間に設置されるように構成されたものを例示したが、本実施形態の間仕切壁構築方法は、間柱１０がランナーを用いずに設置されることにより構築される間仕切壁においても当然実施することができる。
【００５７】
また、上記実施形態においては、開口枠２０を間柱１０に取り付けた際、四方枠２２とスライド部材３０との固定に使用したネジ３６が間柱１０に形成された溝部１２に収まることにより、ネジ３６が四方枠２２とスライド部材３０との接触面に干渉することを防止するように構成されたものを例示した。しかし、四方枠２２とスライド部材３０との固定に使用するネジが、四方枠２２とスライド部材３０との接触面に干渉することを防止するための構成としては他の構成を考えることもできる。例えば、図５に示すように、スライド部材３０の連結部３４におけるネジによる固定部分を、この連結部３４における間柱１０との接触面１０２に対して開口枠２０側へ窪んだ固定溝３８が設けられたものとし、接触面１０２にネジ３６が重ならない、または、接触面１０２にネジ３６の先端のみが重なるような構造が考えられる。
【００５８】
このように構成すれば、開口枠２０とスライド部材３０との固定に使用したネジ３６はスライド部材３０の固定溝３８に収められて連結部３４と間柱１０との接触面１０２に干渉しない。そのため、ネジ３６が接触面１０２に干渉して開口枠２０と間柱１０の間に隙間を発生させることにより、ガタツキや異音が発生するなどの原因となってしまうことを防止できる。さらに、この構成であれば、溝部１２が形成されていない部材（例えば、木製の間柱）を間柱として使用することができる。
【００５９】
また、上記実施形態においては、スライド部材３０として、間柱１０を嵌め込んだ状態でスライド可能となるランナーを採用したものを例示したが、スライド部材としては他の部材を採用することもできる。例えば、間柱１０に、図６に示すような溝部１２に沿って形成されたスライド溝１４を設けておき、このスライド溝１４に嵌め込まれた状態でスライド可能となる突起４２を有する部材４０をスライド部材とすることが考えられる。
【００６０】
また、上記実施形態においては、スライド部材３０が開口枠２０に固定された別の部材であるものを例示したが、これらは、同一の部材により一体に形成された部材としてもよい。
【００６２】
また、上記実施形態においては、スライド部材３０として、ランナーと同一の部材が四方枠２２の外周に沿って曲げられた形状となっているものを例示した。しかし、四方枠２２の縦部材２２ｖおよび横部材２２ｈよりも短く切断された複数のランナー５０を、スライド部材として四方枠２２の外周に複数取り付けてもよい。
【図面の簡単な説明】
【００６３】
【図１】間仕切壁の正面図
【図２】間柱および開口枠の結合部分を示す斜視図
【図３】開口枠の間柱との結合部分を示す上面図（ａ）および側面図（ｂ）
【図４】間仕切壁を構築する工程を示す図
【図５】別の実施形態における開口枠の間柱との結合部分を示す上面図（ａ）および側面図（ｂ）
【図６】別の実施形態における開口枠の間柱との結合部分を示す上面図（ａ）および側面図（ｂ）
【符号の説明】
【００６４】
１…間仕切壁、１０…間柱、１２…溝部、１４…スライド溝、１６…上枠支持部材、２０…開口枠、２２…四方枠、２２ｈ…横部材、２２ｖ…縦部材、３０…スライド部材、３２…板状体、３４…連結部、３６…ネジ、３８…固定溝、４０…部材、４２…突起、５０…ランナー、１００…開口、１０２…接触面、１１０…壁板、１２０…ランナー、１３０…ランナー。
【要約】
【課題】  作業時間を短縮しつつ一定品質の開口を設けることを、搬送に手間のかからない部材により実現すること。
【解決手段】まず、一方の間柱１０を設置する（ａ）。次に、開口枠２０を、スライド部材３０に設置済み間柱１０を嵌め込むことにより、この間柱１０に取り付ける（ｂ）。次に、他方の間柱１０を、設置済み間柱１０との間で開口枠２０を挟む位置に設置する（ｃ）。ここで、他方の間柱１０は、開口枠２０のスライド部材３０に嵌め込まれた状態で設置する。このとき、他方の間柱１０は、一方の間柱１０との間で開口枠２０を挟む位置に設置するため、間柱１０の間隔を間違いなく開口枠２０の横幅に合わせられる。そして、開口枠２０を高さ調整の後（ｄ）、間柱１０に固定する。
【選択図】図４
【図１】
0003568525.tif 000002
【図２】
0003568525.tif 000003
【図３】
0003568525.tif 000004
【図４】
0003568525.tif 000005
【図５】
0003568525.tif 000006
【図６】
0003568525.tif 000007